【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
オーディオノイズを減衰させるデバイスにおいて、
前記デバイスは、
入力オーディオ信号を受け取るように構成されているマイクロフォンと、
識別されたソース信号を有するノイズ信号とオーディオ信号とを前記入力オーディオ信号が含むか否かを決定するように構成され、識別されたソース信号を前記ノイズ信号が有する場合に、コンテンツソースにアクセスして、前記識別されたソース信号のコピーを取得するように構成されているオーディオ信号解析器とを具備し、
（ｉ）適応フィルタの出力と前記入力オーディオ信号との間のエラーを使用することによって適応される前記適応フィルタを使用することと、（ｉｉ）前記フィルタを前記識別されたソース信号に適用して、前記ノイズを減衰させるように前記入力オーディオ信号を減衰させるための、フィルタリングされた識別されたソース信号を生成させることとによって、処理されたオーディオ信号を発生させて、ノイズを減衰させるように構成されているオーディオキャンセラを具備することによって特徴付けられるデバイス。
【請求項２】
前記オーディオ信号解析器は、別個のメディアデバイスによって発生されたノイズ信号に対する識別されたソース信号を有するノイズ信号を、前記入力オーディオ信号が含むか否かの決定を実行するように構成されている請求項１記載のデバイス。
【請求項３】
通信インターフェースをさらに具備し、
前記オーディオ信号解析器は、
前記入力オーディオ信号の特徴情報を決定するようにと、
前記通信インターフェースを使用して、前記特徴情報を送信するようにと、
前記通信インターフェースを使用して、前記特徴情報を送信することに少なくとも基づいて、前記識別されたソース信号のコピーを受信するようにさらに構成されている請求項１記載のデバイス。
【請求項４】
前記オーディオ信号解析器は、
前記通信インターフェースを使用して、前記特徴情報を提供することに応答したコンテンツ−識別情報を受信するようにと、
前記受信したコンテンツ−識別情報と前記コンテンツソースとの一致に基づいて、前記コンテンツソースを発見するために前記デバイスをサーチするようにと、
前記サーチが結果として前記コンテンツソースに一致する場合に、前記識別されたソース信号のコピーを前記コンテンツソースから発生させるようにさらに構成されている請求項３記載のデバイス。
【請求項５】
前記オーディオ信号解析器は、
前記入力オーディオ信号の特徴情報を決定するように構成されている特徴抽出器と、
前記特徴情報に関係付けられているコンテンツ−識別情報を決定するように構成されているコンテンツ識別器と、
前記コンテンツ−識別情報と前記コンテンツソースとの一致に基づいて、前記コンテンツソースを発見するためにデータベースをサーチするように構成されているソースサーチャーと、
前記サーチが前記コンテンツソースを位置特定する場合に、前記識別されたソース信号のコピーを前記コンテンツソースから発生させるように構成されているソース送信機とを備える請求項１記載のデバイス。
【請求項６】
前記入力オーディオ信号と前記識別されたソース信号のコピーとのうちの少なくとも１つを遅延させるように構成されている信号同期器をさらに具備し、
前記オーディオキャンセラは、
調整可能なフィルタパラメータを有し、同期化された識別されたソース信号のコピーと前記調整可能なフィルタパラメータとに基づいて、フィルタリングされた識別されたソース信号を発生させるように構成され、同期化された入力オーディオ信号と前記同期化された識別されたソース信号のコピーとを比較することに基づいて、前記調整可能なフィルタパラメータを調節するように構成されている適応フィルタと、
前記識別されたソース信号のコピーに加えて別の信号を前記入力オーディオ信号が有することをダブルトーク検出器が検出するときに、前記適応フィルタの前記調整可能なフィルタパラメータの調節をディセーブルするように構成されている、前記適応フィルタのダブルトーク検出器とを備え、
前記オーディオキャンセラは、前記フィルタリングされた識別されたソース信号と前記同期化された入力オーディオ信号とを比較することによって、前記識別されたソース信号のコピーと前記入力オーディオ信号とを比較する請求項１記載のデバイス。
【請求項７】
前記デバイスと別個のメディアデバイスとの間の通信チャネル上でデータを通信するように構成されている通信モジュールをさらに具備し、
前記通信モジュールは、前記識別されたソース信号のコピーの少なくとも一部を、前記別個のメディアデバイスから受信する請求項１記載のデバイス。
【請求項８】
前記デバイスと別個のメディアデバイスとの間の通信チャネル上でデータを通信するように構成されている通信モジュールをさらに具備し、
前記ソース通信モジュールは、前記コンテンツソースに対応するコンテンツ−識別データを受信する請求項１記載のデバイス。
【請求項９】
オーディオノイズを減衰させる方法において、
前記方法は、
入力オーディオ信号を受け取ることと、
識別されたソース信号を有するノイズ信号とオーディオ信号とを前記入力オーディオ信号が含むか否かを決定することと、
識別されたソース信号を前記ノイズ信号が有する場合に、コンテンツソースにアクセスして、前記識別されたソース信号のコピーを取得することとを含み、
（ｉ）適応フィルタの出力と前記入力オーディオ信号との間のエラーを使用することによって適応される前記適応フィルタを使用することと、（ｉｉ）前記フィルタを前記識別されたソース信号に適用して、前記ノイズを減衰させるように前記入力オーディオ信号を減衰させるための、フィルタリングされた識別されたソース信号を生成させることとによって、前記ノイズのコピーを比較することに基づいて、処理されたオーディオ信号を発生させて、ノイズ信号を減衰させることを含むことによって特徴付けられる方法。
【請求項１０】
前記識別されたソース信号を有するノイズ信号を前記入力オーディオ信号が含むか否かを決定するステップは、別個のメディアデバイスによって発生されて、識別可能なコンテンツを有するノイズ信号を、前記入力オーディオ信号が含むか否かを決定することを含む請求項９記載の方法。
【請求項１１】
前記識別可能なコンテンツを有するノイズ信号を前記入力オーディオ信号が含むか否かを決定するステップは、
前記入力オーディオ信号の特徴情報を決定することと、
前記特徴情報を送信することとを含み、
前記ノイズ信号のコピーにアクセスするステップは、前記特徴情報を送信することに少なくとも基づいて、前記識別されたソース信号のコピーを受信することを含む請求項９記載の方法。
【請求項１２】
前記識別可能なコンテンツを有するノイズ信号を前記入力オーディオ信号が含むか否かを決定するステップは、
前記特徴情報を提供することに応答したコンテンツ−識別情報を受信することと、
前記受信したコンテンツ−識別情報と前記コンテンツソースとの一致に基づいて、前記コンテンツソースを発見するためにデバイスをサーチすることと、
前記サーチが結果として前記コンテンツソースに一致する場合に、前記識別されたソース信号のコピーを前記コンテンツソースから発生させることとを含む請求項１１記載の方法。
【請求項１３】
前記識別されたソース信号を有するノイズ信号を前記入力オーディオ信号が含むか否かを決定するステップは、
前記入力オーディオ信号の特徴情報を決定することと、
前記特徴情報に関係付けられているコンテンツ−識別情報を決定することと、
前記コンテンツ−識別情報と前記コンテンツソースとの一致に基づいて、前記コンテンツソースを発見するためにデータベースをサーチすることと、
前記サーチが前記コンテンツソースを位置特定する場合に、前記識別されたソース信号のコピーを前記コンテンツソースから発生させることとを含む請求項９記載の方法。
【請求項１４】
前記入力オーディオ信号と前記識別されたソース信号のコピーとのうちの少なくとも１つを遅延させて、前記入力オーディオ信号と前記識別されたソース信号のコピーとを同期化させることをさらに含み、
前記処理されたオーディオ信号を発生させるステップは、
調整可能なフィルタパラメータを有する適応フィルタを使用して、同期化された識別されたソース信号のコピーと前記調整可能なフィルタパラメータとに基づいて、フィルタリングされた識別されたソース信号を発生させることと、
同期化された入力オーディオ信号と前記同期化された識別されたソース信号のコピーとを比較することに基づいて、前記調整可能なフィルタパラメータを選択的に調節することと、
前記識別されたソース信号に加えて別の信号を前記入力オーディオ信号が有するか否かを決定することと、
前記ノイズ信号に加えて別の信号を前記入力オーディオ信号が有することが決定されたときに、前記適応フィルタの前記調整可能なフィルタパラメータの調節をディセーブルすることとを含み、
前記ノイズ信号と前記入力オーディオ信号とを比較することによって、前記ノイズ信号のコピーと前記入力オーディオ信号とを比較することは、前記フィルタリングされたノイズ信号と前記同期化された入力オーディオ信号とを比較することを含む請求項９記載の方法。
【請求項１５】
実行されるときに請求項９ないし１４のいずれか１項記載の方法をプロセッサに実行させる命令を記憶する非一時的コンピュータ読み取り可能媒体。